(57)【特許請求の範囲】
【請求項１】
複数の携帯端末保持者の前払い金の管理を行う情報センターと、前記情報センターと通信網を介し各種情報の送受信を行う情報通信手段と、携帯端末保持者を特定するユーザーＩＤ情報を入力するＩＤ情報入力手段と、自動販売機の保有する商品を販売可能にする商品販売制御手段と、商品の販売を決定する商品決定入力手段と、前記ＩＤ情報入力手段から入力されたユーザーＩＤ情報に対応する前払い金を前記情報通信手段を介し前記情報センターから取得する前払い金取得手段と、前記商品決定入力手段にて商品の販売が決定した場合に前記前払い金取得手段にて取得した前払い金から商品金額を減算した前払い金残金を演算する演算手段と、前記ＩＤ情報入力手段にて入力されたユーザーＩＤ情報と前記演算手段で演算された前払い金残金とを記憶する記憶手段と、前記情報通信手段と前記ＩＤ情報入力手段と前記商品販売制御手段と前記商品決定入力手段と前記前払い金取得手段と前記演算手段と前記記憶手段に接続された演算制御部とからなり、前記演算制御部は、前記商品決定入力手段にて商品の販売が決定した後、前記記憶手段に記憶されている前払い金残金にて自動販売機が保有する商品が販売可能な場合に、再度前記ＩＤ情報入力手段にて入力されたユーザーＩＤ情報が前記記憶手段に記憶されているユーザーＩＤ情報と一致した場合、前記商品販売制御手段にて商品を販売可能とすることを特徴とする自動販売機の制御装置。
【請求項２】
継続販売を決定する継続入力手段を備え、演算制御部は、商品決定入力手段にて商品の販売が決定した後、記憶手段に記憶されている前払い金残金にて自動販売機が保有する商品が販売可能な場合に、前記継続入力手段が入力された場合、商品販売制御手段にて商品を販売可能とする請求項１に記載の自動販売機の制御装置。
【請求項３】
購入したい本数を入力する販売本数入力手段と、前記販売本数入力手段にて入力された販売本数データを記憶する販売本数記憶手段と、商品決定入力手段にて商品の販売が決定した場合に販売本数をカウントする販売本数カウント手段を備え、演算制御部は、前記商品決定入力手段にて商品の販売が決定した後、記憶手段に記憶されている前払い金残金にて自動販売機が保有する商品が販売可能な場合に、前記販売本数カウント手段でカウントされている販売本数が前記販売本数記憶手段に記憶されている販売本数データに達していない場合、商品販売制御手段にて商品を販売可能とする請求項１または２に記載の自動販売機の制御装置。
【請求項４】
商品決定入力手段にて商品の販売が決定されない時間をカウントするタイマーを備え、演算制御部は、前記タイマーにて任意の時間が経過した場合、継続販売を中止する請求項１から請求項３のいずれか一項に記載の自動販売機の制御装置。
【請求項５】
継続販売の中止を決定する販売中止入力手段を備え、演算制御部は、販売中止入力手段が入力された場合、継続販売を中止する請求項１から請求項４のいずれか一項に記載の自動販売機の制御装置。
【請求項６】
硬貨識別装置の返却レバーを備え、演算制御部は、前記返レバーが操作された場合、継続販売を中止する請求項１から請求項４のいずれか一項に記載の自動販売機の制御装置。
【発明の詳細な説明】
【０００１】
【発明の属する技術分野】
本発明は主として飲料、たばこ等の商品や音楽データ、ゲームソフト等の電子情報（デジタルコンテンツ）を、情報センターに保持している前払い金情報を通信することにより販売する自動販売機において、無駄な通信をすることなく継続して商品を販売することを図った自動販売機の制御装置に関するものである。
【０００２】
【従来の技術】
近年、自動販売機の制御装置は、電子マネーを利用することにより、キャッシュレスによる商品販売や電子マネーの入金、出金等のサービスが容易に行えるシステムが求められてきている。
【０００３】
従来の自動販売機の制御装置としては特開平１０−２５５１２１号公報に示されているものがある。これは、電子マネーＰＯＳ端末によりＩＣカードへの入金、出金ができるようにしたものである。また、携帯端末を利用した商品のキャッシュレス販売として、特開２０００−１８７７６３号公報に示されているうに、自動販売機はキャリア会社とのデータのやり取りをＰＨＳ等の携帯電話端末機により行うことで、携帯端末機のＩＤコード即ち購入者識別コード入力によりキャッシュレスによる商品販売ができるようにしたものである。
【０００４】
以下、図面を参照しながら従来の自動販売機の制御装置を説明する。
【０００５】
図１４は、従来の自動販売機の制御装置の機能ブロック図である。図１４において、１０１は携帯端末保持者を特定するユーザーＩＤ情報を入力するＩＤ情報入力手段、１０２は情報センターと通信網を介し各種情報の送受信を行う情報通信手段、１０３は自動販売機の保有する商品を販売可能にする商品販売制御手段、１０４はＩＤ情報入力手段１０１にて入力されたユーザーＩＤ情報を情報センターへ情報通信手段１０２にて送信し、その後、情報通信手段１０２にて受信する前払い金にて自動販売機が保有する商品が販売可能な場合、商品販売制御手段１０３にて商品を販売可能とし、その後、商品が販売され、前払い金から販売された商品金額を減算した前払い金残金とユーザーＩＤ情報を情報通信手段１０２にて送信し、その後に前払い金残金とユーザーＩＤ情報を破棄する演算制御部である。
【０００６】
以上のように構成された自動販売機の制御装置について、以下その動作を説明する。
【０００７】
まず、演算制御部１０４は、ＩＤ情報入力手段１０１にて入力される携帯端末が保持している自動販売機にて商品を購入するために情報センターより配信されるユーザーＩＤ情報を、情報通信手段１０２にて情報センターへ送信する。情報センターは、自動販売機より送信されたユーザーＩＤ情報と情報センターが携帯端末に配信したユーザーＩＤ情報が一致した場合、その携帯端末保持者に該当する商品を購入するために情報センターに入金された金額を前払い金として、情報通信手段１０２に送信する。
【０００８】
演算制御部１０４は、情報通信手段１０２にて受信した前払い金にて自動販売機が保有する商品が販売可能か否かを判定し、販売可能な場合、商品販売制御手段１０３にて商品を販売可能とする。そして、携帯端末保持者が商品を購入した場合、前払い金から販売された商品金額を減算した前払い金残金とユーザーＩＤ情報を情報センター通信手段１０２にて送信し、その後に前払い金残金と今回の販売で使用されたユーザーＩＤ情報を破棄することにより、現金を必要とせず商品の販売ができるという方法が知られている。
【０００９】
【発明が解決しようとする課題】
しかしながら、上記従来の構成は、携帯端末保持者が販売中断処理を行わず自動販売機から離れることで他者に前払い金を使用されることを防止するために、単品のみの販売とし、販売終了後に前払い金残金とユーザーＩＤ情報を破棄しているため、前払い金残金にて自動販売機が保有する商品がまだ販売可能な場合においても販売が継続して行えず、もし継続して販売を行う場合は、携帯端末保持者は再度同様の購入手順を行う必要があり、またそれにより情報センターとの通信回数が増えるため、余計な手間と通信コストが増大するという欠点があった。
【００１０】
本発明は従来の課題を解決するもので、前払い金残金にて自動販売機が保有する商品が販売可能な場合、先の販売にて使用したユーザーＩＤ情報と前払い金残金を記憶し、再度同じユーザーＩＤ情報が入力された場合は、同じ携帯端末保持者が継続して商品の購入を希望していると判断し、記憶している前払い金残金を用いて商品販売を可能にすることにより、購入手順と情報センターとの通信回数を減らし、余計な手間と通信コストを低減させて継続して商品が販売できる自動販売機の制御装置を提供することを目的とする。
【００１１】
【課題を解決するための手段】
本発明の請求項１に記載の発明は、複数の携帯端末保持者の前払い金の管理を行う情報センターと、情報センターと通信網を介し各種情報の送受信を行う情報通信手段と、携帯端末保持者を特定するユーザーＩＤ情報を入力するＩＤ情報入力手段と、自動販売機の保有する商品を販売可能にする商品販売制御手段と、商品の販売を決定する商品決定入力手段と、ＩＤ情報入力手段から入力されたユーザーＩＤ情報に対応する前払い金を情報通信手段を介し情報センターから取得する前払い金取得手段と、商品決定入力手段にて商品の販売が決定した場合に前払い金取得手段にて取得した前払い金から商品金額を減算した前払い金残金を演算する演算手段と、ＩＤ情報入力手段にて入力されたユーザーＩＤ情報と演算手段で演算された前払い金残金とを記憶する記憶手段と、情報通信手段とＩＤ情報入力手段と商品販売制御手段と商品決定入力手段と前払い金取得手段と演算手段と記憶手段に接続された演算制御部とからなり、演算制御部は、商品決定入力手段にて商品の販売が決定した後、記憶手段に記憶されている前払い金残金にて自動販売機が保有する商品が販売可能な場合に、再度ＩＤ情報入力手段にて入力されたユーザーＩＤ情報が記憶手段に記憶されているユーザーＩＤ情報と一致した場合、商品販売制御手段にて商品を販売可能とすることにより、前払い金から販売された商品金額を減算した前払い金残金にて自動販売機が保有する商品が販売可能な場合に、再度同じユーザーＩＤ情報が入力された場合は、同一の携帯端末保持者が継続して商品の購入を希望していると判断し、商品を販売可能にすることにより、簡単な手順にて継続販売が行え、また継続販売が終了するまでは情報センターと通信を行わないので、通信コストを低減することができるという作用を有する。
【００１２】
請求項２に記載の発明は、請求項１に記載の発明に、継続販売を決定する継続入力手段を備え、演算制御部は、商品決定入力手段にて商品の販売が決定した後、記憶手段に記憶されている前払い金残金にて自動販売機が保有する商品が販売可能な場合に、継続入力手段が入力された場合、商品販売制御手段にて商品を販売可能とすることにより、前払い金から販売された商品金額を減算した前払い金残金にて自動販売機が保有する商品が販売可能な場合に、継続販売が入力された場合は、同一の携帯端末保持者が継続して商品の購入を希望していると判断し、商品を販売可能にすることにより、ＩＤ情報入力手段にユーザーＩＤ情報を再度入力するという手間を省け、さらに簡単な手順にて継続販売が行え、また継続販売が終了するまでは情報センターと通信を行わないので、通信コストを低減することができるという作用を有する。
【００１３】
請求項３に記載の発明は、請求項２に記載の発明に、購入したい本数を入力する販売本数入力手段と、販売本数入力手段にて入力された販売本数データを記憶する販売本数記憶手段と、商品決定入力手段にて商品の販売が決定した場合に販売本数をカウントする販売本数カウント手段を備え、演算制御部は、商品決定入力手段にて商品の販売が決定した後、記憶手段に記憶されている前払い金残金にて自動販売機が保有する商品が販売可能な場合に、販売本数カウント手段でカウントされている販売本数が販売本数記憶手段に記憶されている販売本数データに達していない場合、商品販売制御手段にて商品を販売可能とすることにより、販売本数が入力された場合は、同一の携帯端末保持者が継続して商品の購入を希望していると判断し、前払い金から販売された商品金額を減算した前払い金残金にて自動販売機が保有する商品が販売可能な場合に、入力された販売本数に達するまで、商品を販売可能にすることにより、希望する購入本数まで、商品購入毎に行う継続販売のためのユーザーＩＤ情報再度入力という手間や継続販売の再度入力という手間を省け、さらに簡単な手順にて継続販売が行え、また継続販売が終了するまでは情報センターと通信を行わないので、通信コストを低減することができるという作用を有する。
【００１４】
請求項４に記載の発明は、請求項３に記載の発明に、商品決定入力手段にて商品の販売が決定されない時間をカウントするタイマーを備え、演算制御部は、タイマーにて任意の時間が経過した場合、継続販売を中止することにより、商品の決定がなされない時間が任意の時間を経過した場合は、同一の携帯端末保持者が継続して商品の購入を行わず立去ったと判断し、前払い金から販売された商品金額を減算した前払い金残金にて自動販売機が保有する商品が販売可能な場合でも、自動的に販売中止を行い、他者に商品が販売されることを防止するという作用を有する。
【００１５】
請求項５に記載の発明は、請求項４に記載の発明に、継続販売の中止を決定する販売中止入力手段を備え、演算制御部は、販売中止入力手段が入力された場合、継続販売を中止することにより、販売中止入力手段が入力された場合は、同一の携帯端末保持者が継続して商品の購入を中止したいと判断し、前払い金から販売された商品金額を減算した前払い金残金にて自動販売機が保有する商品が販売可能な場合でも、販売を中止することにより、継続販売操作を行った後に購入意欲がなくなった場合でも対応できるという作用を有する。
【００１６】
請求項６に記載の発明は、請求項４に記載の発明に、硬貨識別装置の返却レバーを備え、演算制御部は、返却レバーが操作された場合、継続販売を中止することにより、販売中止入力手段の替わりに従来より自動販売機に設けられている硬貨識別装置の返却レバーを用いることにより、無駄なコストをかけることなく、また顧客に違和感を持たせることなく販売中止が行えるという作用を有する。
【００１７】
【発明の実施の形態】
以下、本発明による自動販売機の制御装置の実施の形態について、図面を参照しながら説明する。
【００１８】
（実施の形態１）
図１は、本発明の実施の形態１による前払い金にて自動販売機の商品を購入する前払い金商品販売システムのシステムフローチャートである。図２は、本発明の実施の形態１による自動販売機の制御装置の機能ブロック図である。図３は、同実施の形態の動作を示すフローチャートである。
【００１９】
図１において、１は複数の携帯端末保持者の前払い金を管理する情報センター、２はネットワークを介して情報センター１と通信を行う自動販売機である。まず携帯端末保持者は情報センター１に通信を行い、情報センター１はユーザーＩＤ情報を携帯端末に配信する。携帯端末保持者が自動販売機２に情報センターから配信されたユーザーＩＤ情報を入力すると、自動販売機２は情報センター１に入力されたユーザーＩＤ情報を送信する。
【００２０】
情報センター１は自動販売機２から送信されたユーザーＩＤ情報を受信し、それが先に配信したユーザーＩＤ情報と一致した場合は携帯端末保持者に該当する前払い金を自動販売機２へ送信する。自動販売機２は情報センター１から送信された前払い金を受信し、その前払い金にて自動販売機２が保持する商品が販売可能なら商品販売可能とする。
【００２１】
携帯端末保持者が商品を選択すると、自動販売機２は商品を販売し、ユーザーＩＤ情報、前払い金から商品金額を減算した前払い金残金を記憶する。再度、携帯端末保持者が自動販売機２に情報センター１から配信されたユーザーＩＤ情報を入力、そのユーザーＩＤ情報が先の自動販売機２が記憶しているユーザーＩＤ情報と一致した場合、先に自動販売機２が記憶している前払い金残金にて自動販売機２が保持する商品が販売可能なら商品販売可能とする前払い金商品販売システムを構成する。
【００２２】
以上のように構成された前払い金商品販売システムにおいて、以下その自動販売機の制御装置の機能ブロックを図２を参照して説明する。
【００２３】
図２において、３は情報センターと通信網を介し各種情報の送受信を行う情報通信手段、４は携帯端末保持者を特定するユーザーＩＤ情報を入力するＩＤ情報入力手段、５は自動販売機の保有する商品を販売可能にする商品販売制御手段、６は商品の販売を決定する商品決定入力手段、７はＩＤ情報入力手段４から入力されたユーザーＩＤ情報に対応する前払い金を情報通信手段３を介し情報センター１から取得する前払い金取得手段、８は商品決定入力手段６にて商品の販売が決定した場合に前払い金取得手段７にて取得した前払い金から商品金額を減算した前払い金残金を演算する演算手段、９はＩＤ情報入力手段４にて入力されたユーザーＩＤ情報と演算手段８で演算された前払い金残金とを記憶する記憶手段、１０ａは商品決定入力手段６にて商品の販売が決定した後、記憶手段９に記憶されている前払い金残金にて自動販売機が保有する商品が販売可能な場合に、再度ＩＤ情報入力手段４にて入力されたユーザーＩＤ情報が記憶手段９に記憶されているユーザーＩＤ情報と一致した場合、商品販売制御手段５にて商品を販売可能とする演算制御部である。
【００２４】
以上のように構成された自動販売機の制御装置について、以下その動作を図３のフローチャートをもとにして説明する。
【００２５】
まず、演算制御部１０ａは、ＩＤ情報入力手段４にてユーザーＩＤ情報が入力されたか否かを判定し、入力された場合はＳＴＥＰ２を行い、それ以外は処理を終了する（ＳＴＥＰ１）。ＳＴＥＰ１にて入力されたユーザーＩＤ情報を、情報通信手段３にて情報センター１へ送信する（ＳＴＥＰ２）。前払い金取得手段７にて前払い金を取得したか否かを判定し、取得した場合ＳＴＥＰ４を行い、取得しない場合は処理を終了する（ＳＴＥＰ３）。
【００２６】
ＳＴＥＰ３にて取得した前払い金にて自動販売機が保持する商品が販売可能か否かを判定し、販売可能の場合はＳＴＥＰ５を行い、それ以外はＳＴＥＰ１２を行う（ＳＴＥＰ４）。商品販売制御手段５にて商品を販売可能とする（ＳＴＥＰ５）。商品決定入力手段６にて商品の販売の決定入力が行われたか否かを判定し、決定入力が行われた場合はＳＴＥＰ７を行い、それ以外は再度ＳＴＥＰ６を行う（ＳＴＥＰ６）。
【００２７】
演算手段８にて、前払い金からＳＴＥＰ６にて販売された商品金額を減算し、前払い金残金を演算する（ＳＴＥＰ７）。ＳＴＥＰ７にて演算された前払い金残金にて自動販売機が保持する商品が販売可能か否かを判定し、販売可能の場合はＳＴＥＰ９を行い、それ以外はＳＴＥＰ１２を行なう（ＳＴＥＰ８）。ＳＴＥＰ９において、ＳＴＥＰ１にて入力されたユーザーＩＤ情報と、ＳＴＥＰ７にて演算された前払い金残金を記憶手段９に記憶する。そして、ＩＤ情報入力手段４にてユーザーＩＤ情報が入力されたか否かを判定し、入力された場合はＳＴＥＰ１１を行い、それ以外はＳＴＥＰ１２を行う（ＳＴＥＰ１０）。
【００２８】
ＳＴＥＰ１０にて入力されたユーザーＩＤ情報と記憶手段９に記憶されているユーザーＩＤ情報とが一致するか否かを判定し、一致する場合はＳＴＥＰ５を行い、それ以外はＳＴＥＰ１２を行う（ＳＴＥＰ１１）。ＳＴＥＰ１２において、記憶手段９に記憶されている前払い金残金とユーザーＩＤ情報を情報通信手段３にて情報センター１へ送信する。記憶手段９に記憶されているデータをクリアし、処理を終了する（ＳＴＥＰ１３）。
【００２９】
以上のように本実施の形態の自動販売機の制御装置は、複数の携帯端末保持者の前払い金の管理を行う情報センター１と、情報センター１と通信網を介し各種情報の送受信を行う情報通信手段３と、携帯端末保持者を特定するユーザーＩＤ情報を入力するＩＤ情報入力手段４と、自動販売機の保有する商品を販売可能にする商品販売制御手段５と、商品の販売を決定する商品決定入力手段６と、ＩＤ情報入力手段４から入力されたユーザーＩＤ情報に対応する前払い金を情報通信手段３を介し情報センター１から取得する前払い金取得手段７と、商品決定入力手段６にて商品の販売が決定した場合に前払い金取得手段７にて取得した前払い金から商品金額を減算した前払い金残金を演算する演算手段８と、ＩＤ情報入力手段４にて入力されたユーザーＩＤ情報と演算手段８で演算された前払い金残金とを記憶する記憶手段９と、情報通信手段３とＩＤ情報入力手段４と商品販売制御手段５と商品決定入力手段６と前払い金取得手段７と演算手段８と記憶手段９に接続された演算制御部１０ａとからなり、演算制御部１０ａは、商品決定入力手段６にて商品の販売が決定した後、記憶手段９に記憶されている前払い金残金にて自動販売機が保有する商品が販売可能な場合に、再度ＩＤ情報入力手段４にて入力されたユーザーＩＤ情報が記憶手段９に記憶されているユーザーＩＤ情報と一致した場合、商品販売制御手段５にて商品を販売可能とすることにより、前払い金から販売された商品金額を減算した前払い金残金にて自動販売機が保有する商品が販売可能な場合に、再度同じユーザーＩＤ情報が入力された場合は、同一の携帯端末保持者が継続して商品の購入を希望していると判断し、商品を販売可能にすることにより、簡単な手順にて継続販売が行え、また継続販売が終了するまでは情報センター１と通信を行わないので、通信コストを低減することができる。
【００３０】
（実施の形態２）
図４は、本発明の実施の形態２による自動販売機の制御装置の機能ブロック図である。図５は、同実施の形態の動作を示すフローチャートである。
【００３１】
図４において、１１は継続販売を決定する継続入力手段、１０ｂは商品を販売した後、記憶手段９に記憶されている前払い金残金にて自動販売機が保有する商品が販売可能な場合に、継続入力手段１１が入力された場合、商品販売制御手段５にて商品を販売可能とする演算制御部である。
【００３２】
本実施の形態は、実施の形態１による自動販売機の制御装置にさらに、継続入力手段１１を設けたものである。
【００３３】
以上のように構成された自動販売機の制御装置について、以下その動作を図５のフローチャートをもとにして説明する。また、実施の形態１による自動販売機の制御装置の演算制御部１０ａと同じ動作に関しては説明を省略する。
【００３４】
まず、演算制御部１０ｂは、ＳＴＥＰ１４からＳＴＥＰ２２までは実施の形態１のＳＴＥＰ１からＳＴＥＰ９と同様である（ＳＴＥＰ１４〜２２）。
【００３５】
ＳＴＥＰ２３で継続入力手段１１に継続を入力されたか否かを判定し、入力された場合はＳＴＥＰ１８を実行し、それ以外はＳＴＥＰ２４を実行する。
【００３６】
ＳＴＥＰ２４からＳＴＥＰ２７までは実施の形態１のＳＴＥＰ１０からＳＴＥＰ１３と同様である（ＳＴＥＰ２４〜２７）。
【００３７】
以上のように本実施の形態の自動販売機の制御装置は、継続入力手段１１を設け、演算制御部１０ｂは、商品決定入力手段にて商品の販売が決定した後、記憶手段９に記憶されている前払い金残金にて自動販売機が保有する商品が販売可能な場合に、継続入力手段１１が入力された場合、商品販売制御手段５にて商品を販売可能とすることにより、前払い金から販売された商品金額を減算した前払い金残金にて自動販売機が保有する商品が販売可能な場合に、販売継続が入力された場合は、同一の携帯端末保持者が継続して商品の購入を希望していると判断し、商品を販売可能にすることにより、ＩＤ情報入力手段４にユーザーＩＤ情報を再度入力するという手間を省け、さらに簡単な手順にて継続販売が行え、また継続販売が終了するまでは情報センター１と通信を行わないので、通信コストを低減することができる。
【００３８】
（実施の形態３）
図６は、本発明の実施の形態３よる自動販売機の制御装置の機能ブロック図である。図７は、同実施の形態の動作を示すフローチャートである。
【００３９】
図６において、１２は購入したい本数を入力する販売本数入力手段、１３は販売本数入力手段１２にて入力された販売本数データを記憶する販売本数記憶手段、１４は商品決定入力手段６にて商品の販売が決定した場合に販売本数データをカウントする販売本数カウント手段、１０ｃは、商品決定入力手段６にて商品の販売が決定した後、記憶手段９に記憶されている前払い金残金にて自動販売機が保有する商品が販売可能な場合に、販売本数カウント手段１４でカウントされている販売本数が販売本数記憶手段１３に記憶されている販売本数データに達していない場合、商品販売制御手段５にて商品を販売可能とする演算制御部である。
【００４０】
本実施の形態は、実施の形態２による自動販売機の制御装置にさらに、販売本数入力手段１２と販売本数記憶手段１３と販売本数カウント手段１４を設けたものである。
【００４１】
以上のように構成された自動販売機の制御装置について、以下その動作を図７のフローチャートをもとにして説明する。また、実施の形態２による自動販売機の制御装置の演算制御部１０ｂと同じ動作に関しては説明を省略する。
【００４２】
まず、演算制御部１０ｃは、ＳＴＥＰ２８からＳＴＥＰ３２までは実施の形態２のＳＴＥＰ１４からＳＴＥＰ１８と同様である（ＳＴＥＰ２８〜３２）。
【００４３】
ＳＴＥＰ３３では販売本数入力手段１２に販売本数データが入力されたか否かを判定し、入力された場合はＳＴＥＰ３４を行い、それ以外はＳＴＥＰ３５を行う。
【００４４】
ＳＴＥＰ３４では入力された販売本数データを販売本数記憶手段１３に記憶する。ＳＴＥＰ３５では商品決定入力手段６にて商品の販売の決定入力が行われたか否かを判定し、決定入力が行われた場合はＳＴＥＰ３６を行い、それ以外は再度ＳＴＥＰ３５を行う。
【００４５】
演算手段８にて、前払い金からＳＴＥＰ３５にて販売された商品金額を減算し、前払い金残金を演算する（ＳＴＥＰ３６）。販売本数カウント手段１４にて販売本数をカウントする（ＳＴＥＰ３７）。ＳＴＥＰ３６にて演算された前払い金残金にて自動販売機が保持する商品が販売可能か否かを判定し、販売可能の場合はＳＴＥＰ３９を行い、それ以外はＳＴＥＰ４４を行なう（ＳＴＥＰ３８）。
【００４６】
ＳＴＥＰ２８にて入力されたユーザーＩＤ情報と、ＳＴＥＰ３６にて演算された前払い金残金を記憶手段９に記憶する（ＳＴＥＰ３９）。販売本数カウント手段１４にカウントされている販売本数が販売本数記憶手段１３に記憶されている販売本数データを越えているか否かを判定し、越えている場合はＳＴＥＰ４１を行い、それ以外はＳＴＥＰ３２を行う（ＳＴＥＰ４０）。
【００４７】
ＳＴＥＰ４１からＳＴＥＰ４４までは実施の形態２のＳＴＥＰ２３からＳＴＥＰ２６と同様である（ＳＴＥＰ４１〜４４）。記憶手段９に記憶されているデータと販売本数記憶手段１３に記憶されているデータをクリアし、処理を終了する（ＳＴＥＰ４５）。
【００４８】
以上のように本実施の形態の自動販売機の制御装置は、販売本数入力手段１２と販売本数記憶手段１３と販売本数カウント手段１４を設け、演算制御部１０ｃは、商品決定入力手段６にて商品の販売が決定した後、記憶手段９に記憶されている前払い金残金にて自動販売機が保有する商品が販売可能な場合に、販売本数カウント手段１４でカウントされている販売本数が販売本数記憶手段１３に記憶されている販売本数データに達していない場合、商品販売制御手段５にて商品を販売可能とすることにより、販売本数が入力された場合は、同一の携帯端末保持者が継続して商品の購入を希望していると判断し、前払い金から販売された商品金額を減算した前払い金残金にて自動販売機が保有する商品が販売可能な場合に、入力された販売本数に達するまで、商品を販売可能にすることにより、希望する購入本数まで、商品購入毎に行う継続販売のためのユーザーＩＤ情報再度入力という手間や継続販売の再度入力という手間を省け、さらに簡単な手順にて継続販売が行え、また継続販売が終了するまでは情報センターと通信を行わないので、通信コストを低減することができる。
【００４９】
（実施の形態４）
図８は、本発明の実施の形態４による自動販売機の制御装置の機能ブロック図である。図９は、同実施の形態の動作を示すフローチャートである。
【００５０】
図８において、１５は商品決定入力手段にて商品の販売が決定されない時間をカウントするタイマー、１０ｄはタイマー１５にて任意の時間が経過した場合、継続販売を中止する演算制御部である。
【００５１】
本実施の形態は、実施の形態３による自動販売機の制御装置にさらに、タイマー１５を設けたものである。
【００５２】
以上のように構成された自動販売機の制御装置について、以下その動作を図９のフローチャートをもとにして説明する。また、実施の形態３による自動販売機の制御装置の演算制御部１０ｃと同じ動作に関しては説明を省略する。
【００５３】
まず、演算制御部１０ｄは、ＳＴＥＰ４６からＳＴＥＰ５２までは実施の形態３のＳＴＥＰ２８からＳＴＥＰ３４と同様である（ＳＴＥＰ４６〜５２）。
【００５４】
タイマー１５にてタイマーカウントを開始する（ＳＴＥＰ５３）。タイマー１５にてカウントしている時間が任意時間を経過しているか否かを判定し、経過した場合はＳＴＥＰ６４を行い、それ以外はＳＴＥＰ５５を行う（ＳＴＥＰ５４）。商品決定入力手段６にて商品の販売の決定が行われたか否かを判定し、決定が行われた場合はＳＴＥＰ５６を行い、それ以外はＳＴＥＰ５４を行う（ＳＴＥＰ５５）。
【００５５】
ＳＴＥＰ５６からＳＴＥＰ６５までは実施の形態３のＳＴＥＰ３６からＳＴＥＰ４５と同様である（ＳＴＥＰ５６〜６５）。
【００５６】
以上のように本実施の形態の自動販売機の制御装置は、タイマー１５を設け、演算制御部１０ｄは、タイマー１５にて任意の時間が経過した場合、継続販売を中止することにより、商品の決定がなされない時間が任意の時間を経過した場合は、同一の携帯端末保持者が継続して商品の購入を行わず立去ったと判断し、前払い金から販売された商品金額を減算した前払い金残金にて自動販売機が保有する商品が販売可能な場合でも、自動的に販売中止を行い、他者に商品が販売されることを防止する。
【００５７】
（実施の形態５）
図１０は、本発明の実施の形態５による自動販売機の制御装置の機能ブロック図である。図１１は、同実施の形態の動作を示すフローチャートである。
【００５８】
図１０において、１６は継続販売の中止を決定する販売中止入力手段、１０eは販売中止入力手段１６が入力された場合、継続販売を中止する演算制御部である。
【００５９】
本実施の形態は、実施の形態４による自動販売機の制御装置にさらに、販売中止入力手段１６を設けたものである。
【００６０】
以上のように構成された自動販売機の制御装置について、以下その動作を図１０のフローチャートをもとにして説明する。また、実施の形態４による自動販売機の制御装置の演算制御部１０ｄと同じ動作に関しては説明を省略する。
【００６１】
まず、演算制御部１０eは、ＳＴＥＰ６６からＳＴＥＰ７３までは実施の形態４のＳＴＥＰ４６からＳＴＥＰ５３と同様である（ＳＴＥＰ６６〜７３）。
【００６２】
タイマー１５にてカウントしている時間が任意時間を経過しているか否かを判定し、経過した場合はＳＴＥＰ８５を行い、それ以外はＳＴＥＰ７５を行う（ＳＴＥＰ７４）。販売中止入力手段１６に中止が入力されたか否かを判定し、入力された場合はＳＴＥＰ８５を行い、それ以外はＳＴＥＰ７６を行う（ＳＴＥＰ７５）。商品決定入力手段６にて商品の販売の決定が行われたか否かを判定し、決定が行われた場合はＳＴＥＰ７７を行い、それ以外はＳＴＥＰ７４を行う（ＳＴＥＰ７６）。
【００６３】
ＳＴＥＰ７７からＳＴＥＰ８６までは実施の形態４のＳＴＥＰ５６からＳＴＥＰ６５と同様である（ＳＴＥＰ７７〜８６）。
【００６４】
以上のように本実施の形態の自動販売機の制御装置は、販売中止入力手段１６を設け、演算制御部１０ｅは、販売中止入力手段１６が入力された場合、継続販売を中止することにより、販売中止入力手段１６が入力された場合は、同一の携帯端末保持者が継続して商品の購入を中止したいと判断し、前払い金から販売された商品金額を減算した前払い金残金にて自動販売機が保有する商品が販売可能な場合でも、販売を中止することにより、継続販売操作を行った後に購入意欲がなくなった場合でも対応できる。
【００６５】
（実施の形態６）
図１２は、本発明の実施の形態６による自動販売機の制御装置の機能ブロック図である。図１３は、同実施の形態の動作を示すフローチャートである。
【００６６】
図１２において、１７は硬貨識別装置の返却レバー、１０ｆは返却レバー１７が操作された場合、継続販売を中止する演算制御部である。
【００６７】
本実施の形態は、実施の形態４による自動販売機の制御装置にさらに、返却レバー１７を設けたものである。
【００６８】
以上のように構成された自動販売機の制御装置について、以下その動作を図１３のフローチャートをもとにして説明する。また、実施の形態４による自動販売機の制御装置の演算制御部１０ｄと同じ動作に関しては説明を省略する。
【００６９】
まず、演算制御部１０ｆは、ＳＴＥＰ８７からＳＴＥＰ９４までは実施の形態４のＳＴＥＰ４６からＳＴＥＰ５３と同様である（ＳＴＥＰ８７〜９４）。
【００７０】
タイマー１５にてカウントしている時間が任意時間を経過しているか否かを判定し、経過した場合はＳＴＥＰ１０６を行い、それ以外はＳＴＥＰ９６を行う（ＳＴＥＰ９５）。返却レバー１７が操作されたか否かを判定し、操作された場合はＳＴＥＰ１０６を行い、それ以外はＳＴＥＰ９７を行う（ＳＴＥＰ９６）。商品決定入力手段６にて商品の販売の決定が行われたか否かを判定し、決定が行われた場合はＳＴＥＰ９８を行い、それ以外はＳＴＥＰ９５を行う（ＳＴＥＰ９７）。
【００７１】
ＳＴＥＰ９８からＳＴＥＰ１０７までは実施の形態４のＳＴＥＰ５６からＳＴＥＰ６５と同様である（ＳＴＥＰ９８〜１０７）。
【００７２】
以上のように本実施の形態の自動販売機の制御装置は、返却レバー１７を設け、演算制御部１０ｆは、返却レバー１７が操作された場合、継続販売を中止することにより、従来より自動販売機に設けられている硬貨識別装置の返却レバー１７を用いることにより、無駄なコストをかけることなく、また顧客に違和感を持たせることなく販売中止が行える。
【００７３】
【発明の効果】
以上説明したように請求項１に記載の発明は、前払い金から販売された商品金額を減算した前払い金残金にて自動販売機が保有する商品が販売可能な場合に、再度同じユーザーＩＤ情報が入力された場合は、同一の携帯端末保持者が継続して商品の購入を希望していると判断し、商品を販売可能にすることにより、簡単な手順にて継続販売が行え、また継続販売が終了するまでは情報センターと通信を行わないので、通信コストを低減することができる。
【００７４】
請求項２に記載の発明は、請求項１に記載の発明に加えて、継続販売を決定する継続入力手段を備えることにより、前払い金から販売された商品金額を減算した前払い金残金にて自動販売機が保有する商品が販売可能な場合に、継続販売が入力された場合は、同一の携帯端末保持者が継続して商品の購入を希望していると判断し、商品を販売可能にすることにより、ＩＤ情報入力手段にユーザーＩＤ情報を再度入力するという手間を省け、さらに簡単な手順にて継続販売が行え、また継続販売が終了するまでは情報センターと通信を行わないので、通信コストを低減することができる。
【００７５】
請求項３に記載の発明は、請求項２に記載の発明に加えて、購入したい本数を入力する販売本数入力手段と、販売本数入力手段にて入力された販売本数データを記憶する販売本数記憶手段と、商品決定入力手段にて商品の販売が決定した場合に販売本数をカウントする販売本数カウント手段を備えることにより、販売本数が入力された場合は、同一の携帯端末保持者が継続して商品の購入を希望していると判断し、前払い金から販売された商品金額を減算した前払い金残金にて自動販売機が保有する商品が販売可能な場合に、入力された販売本数に達するまで、商品を販売可能にすることにより、希望する購入本数まで、商品購入毎に行う継続販売のためのユーザーＩＤ情報再度入力という手間や継続販売の再度入力という手間を省け、さらに簡単な手順にて継続販売が行え、また継続販売が終了するまでは情報センターと通信を行わないので、通信コストを低減することができる。
【００７６】
請求項４に記載の発明は、請求項３に記載の発明に加えて、商品決定入力手段にて商品の販売が決定されない時間をカウントするタイマーを備えることにより、商品の決定がなされない時間が任意の時間を経過した場合は、同一の携帯端末保持者が継続して商品の購入を行わず立去ったと判断し、前払い金から販売された商品金額を減算した前払い金残金にて自動販売機が保有する商品が販売可能な場合でも、自動的に販売中止を行い、他者に商品が販売されることを防止する。
【００７７】
請求項５に記載の発明は、請求項４に記載の発明に加えて、継続販売の中止を決定する販売中止入力手段を備えることにより、販売中止入力手段が入力された場合は、同一の携帯端末保持者が継続して商品の購入を中止したいと判断し、前払い金から販売された商品金額を減算した前払い金残金にて自動販売機が保有する商品が販売可能な場合でも、販売を中止することにより、継続販売操作を行った後に購入意欲がなくなった場合でも対応できる。
【００７８】
請求項６に記載の発明は、請求項４に記載の発明に加えて、硬貨識別装置の返却レバーを備えることにより、演算制御部は、販売中止入力手段の替わりに従来より自動販売機に設けられている硬貨識別装置の返却レバーを用いることにより、無駄なコストをかけることなく、また顧客に違和感を持たせることなく販売中止が行える。
【図面の簡単な説明】
【図１】本発明による自動販売機の制御装置の実施の形態１のシステムフローチャート
【図２】同実施の形態の自動販売機の制御装置のブロック図
【図３】同実施の形態の自動販売機の制御装置の動作を示すフローチャート
【図４】本発明による自動販売機の制御装置の実施の形態２のブロック図
【図５】同実施の形態の自動販売機の制御装置の動作を示すフローチャート
【図６】本発明による自動販売機の制御装置の実施の形態３のブロック図
【図７】同実施の形態の自動販売機の制御装置の動作を示すフローチャート
【図８】本発明による自動販売機の制御装置の実施の形態４のブロック図
【図９】同実施の形態の自動販売機の制御装置の動作を示すフローチャート
【図１０】本発明による自動販売機の制御装置の実施の形態５のブロック図
【図１１】同実施の形態の自動販売機の制御装置の動作を示すフローチャート
【図１２】本発明による自動販売機の制御装置の実施の形態６のブロック図
【図１３】同実施の形態の自動販売機の制御装置の動作を示すフローチャート
【図１４】従来の自動販売機の制御装置の機能ブロック図
【符号の説明】
１    情報センター
２    自動販売機
３    情報通信手段
４    ＩＤ情報入力手段
５    商品販売制御手段
６    商品決定入力手段
７    前払い金取得手段
８    演算手段
９    記憶手段
１０ａ，１０ｂ，１０ｃ，１０ｄ，１０ｅ，１０ｆ  演算制御部
１１  継続入力手段
１２  販売本数入力手段
１３  販売本数記憶手段
１４  販売本数カウント手段
１５  タイマー
１６  販売中止入力手段
１７  返却レバー
１０１  ＩＤ情報入力手段
１０２  情報通信手段
１０３  商品販売制御手段
１０４  演算制御部
【図１】
0004017888.tif 000002
【図２】
0004017888.tif 000003
【図３】
0004017888.tif 000004
【図４】
0004017888.tif 000005
【図５】
0004017888.tif 000006
【図６】
0004017888.tif 000007
【図７】
0004017888.tif 000008
【図８】
0004017888.tif 000009
【図９】
0004017888.tif 000010
【図１０】
0004017888.tif 000011
【図１１】
0004017888.tif 000012
【図１２】
0004017888.tif 000013
【図１３】
0004017888.tif 000014
【図１４】
0004017888.tif 000015